【手続補正書】
【提出日】平成29年9月1日(2017.9.1)
【手続補正１】
【補正対象書類名】特許請求の範囲
【補正対象項目名】全文
【補正方法】変更
【補正の内容】
【特許請求の範囲】
【請求項１】
インクジェットプリンターであって、
インクジェットプリンター中、処理方向に移動するように構成された、画像受け入れ表面を有する間接的な画像受け入れ部材と、
液体担体および吸収剤を含む親水性組成物の層を画像受け入れ表面に塗布するように構成された表面管理ユニットと、
表面管理ユニットが、親水性組成物を画像受け入れ表面に塗布した後、親水性組成物の層から液体担体の少なくとも一部を除去して、吸収剤の乾燥した層を形成するように配置および構成された乾燥器と、
乾燥した層に水性インクを放出し、画像受け入れ表面に水性インク画像を作成するように構成された複数のインクジェットであって、水性インクが、液体溶媒と、少なくとも１つの着色剤とを少なくとも含む、インクジェットと、
画像受け入れ部材に係合して転写固定ニップを形成する転写固定部材であって、転写固定ニップを通って移動している印刷媒体に圧力を加え、乾燥した層の上の水性インク画像が転写固定ニップを通って移動するときに、水性インク画像と、水性インクを受け取る乾燥した層の領域とを印刷媒体の表面に転写固定するように構成された転写固定部材とを備え、
乾燥した層は、水性インク内の液体溶媒の一部が、乾燥した層のうちの水性インクを受け取る領域に浸透することを許容して、乾燥した層の領域と画像受け入れ表面の間の付着性レベルを低減するように構成される、インクジェットプリンター。
【請求項２】
液体担体が水である、請求項１に記載のインクジェットプリンター。
【請求項３】
表面管理ユニットが、画像受け入れ表面に親水性組成物を塗布する前に、印刷媒体に転写されない乾燥した層の別の領域を画像受け入れ表面から除去するように配置および構成されたクリーニングユニットをさらに備える、請求項１に記載のインクジェットプリンター。
【請求項４】
乾燥した層の上に作られた水性インク画像から、液体溶媒の一部を除去するように配置および構成された別の乾燥器をさらに備える、請求項１に記載のインクジェットプリンター。
【請求項５】
表面管理ユニットが、
親水性組成物を含む貯蔵器と、
貯蔵器に部分的に浸され、画像受け入れ表面に係合するローラーであって、処理方向での画像受け入れ部材の移動に伴って回転して貯蔵器から親水性組成物を抜き取り、画像受け入れ表面に親水性組成物の層を生成するように構成されたローラーとをさらに備える、請求項１に記載のインクジェットプリンター。
【請求項６】
表面管理ユニットが、厚みが１μｍ〜１０μｍの親水性組成物の層を生成するように構成された、請求項１に記載のインクジェットプリンター。
【請求項７】
乾燥器が、親水性組成物の層から液体担体の一部を除去し、吸収剤の厚みが０．１μｍ〜１μｍの乾燥した層を生成するように構成される、請求項１に記載のインクジェットプリンター。
【請求項８】
画像受け入れ表面を５０℃〜７０℃の範囲の温度まで加熱するように構成された加熱器をさらに備える、請求項１に記載のインクジェットプリンター。
【請求項９】
複数のインクジェットが、
乾燥した層に第１の色の水性インクを放出するように構成された、第１の複数のインクジェットと、
第１の複数のインクジェットが第１の色の水性インクを放出した後、乾燥した層に第２の色の水性インクを放出するように構成された、第２の複数のインクジェットとをさらに備える、請求項１に記載のインクジェットプリンター。
【請求項１０】
第１の複数のインクジェットは、ブラックの水性インクを放出するように構成される、請求項９に記載のインクジェットプリンター。
【請求項１１】
第２の複数のインクジェットが、乾燥した層に第２の色の水性インクを放出する前に、乾燥した層の上に形成されている第１の色の水性インクから、液体溶媒の一部を除去するように配置および構成された、第１の乾燥器と、
第２の複数のインクジェットが、乾燥した層に第２の色の水性インクを放出した後に、乾燥した層の上に形成されている第１の色の水性インクおよび第２の色の水性インクから、液体溶媒の一部を除去するように配置および構成された第２の乾燥器とをさらに備える、請求項９に記載のインクジェットプリンター。
【請求項１２】
乾燥した層内の吸収剤は、水性インクから液体溶媒を吸収することに反応して膨潤する材料をさらに含む、請求項１に記載のインクジェットプリンター。
【請求項１３】
乾燥した層内の吸収剤は、水性インク内の着色剤に対して実質的に不浸透性である、請求項１に記載のインクジェットプリンター。
【請求項１４】
インクジェットプリンター内で処理方向に移動するように構成された画像受け入れ表面を有する間接的な画像受け入れ部材と、
液体担体および吸収剤を含む親水性組成物の層を画像受け入れ表面に塗布するように構成された表面管理ユニットと、
表面管理ユニットが、画像受け入れ表面に親水性組成物を塗布した後で、親水性組成物の層から液体担体の少なくとも一部を除去して、吸収剤の乾燥した層を形成するように配置および構成された乾燥器と、
乾燥した層に水性インクを放出して、画像受け入れ表面に水性インク画像を形成するように構成された複数のインクジェットと、
画像受け入れ部材に係合して転写固定ニップを形成する転写固定部材であって、転写固定ニップを通って移動している印刷媒体に圧力を加え、乾燥した層の上の水性インク画像が転写固定ニップを通過するときに、水性インク画像と、乾燥した層のうちの、水性インクを受け取る領域とを印刷媒体の表面に転写固定するように構成された転写固定部材と、を備え、
乾燥した層内の吸収剤の乾燥した層のうち、水性インク液滴から液体溶媒を吸収しない他の領域は、画像受け入れ表面への付着性レベルが、印刷媒体への付着性レベルより高く、印刷媒体が転写固定ニップを通り抜けた後、画像受け入れ表面からの印刷媒体の分離を可能にする、インクジェットプリンター。
【請求項１５】
インクジェットプリンターの動作方法であって、
表面管理ユニット、乾燥器、複数のインクジェット、および転写固定ニップを通過する、インクジェットプリンター内の処理方向に、間接的な画像受け入れ部材の画像受け入れ表面を移動するステップと、
表面管理ユニットで、液体担体および吸収剤を含む親水性組成物の層を画像受け入れ表面に塗布するステップと、
乾燥器で、親水性組成物の層を乾燥させて、親水性組成物の層から液体担体の少なくとも一部を除去し、画像受け入れ表面上に吸収剤の乾燥した層を形成するステップと、
複数のインクジェットで、水性インクのインク液滴を放出して、乾燥した層の上に水性インク画像を形成するインク液滴の放出ステップであって、水性インクは、液体溶媒と少なくとも１つの着色剤とを少なくとも含む、ステップと、
転写固定部材を用いて、間接的な画像受け入れ部材の画像受け入れ表面に圧力を加え、転写固定部材と間接的な画像受け入れ部材との間の転写固定ニップ内を移動している印刷媒体の表面に、水性インク画像と、乾燥した層のうちの、水性インクを受け取る領域とを転写固定するステップと、を含み、
インク液滴の放出ステップは、水性インク内の液体溶媒の一部が、乾燥した層のうちの、水性インクを受け取る領域に浸透して、乾燥した層の領域と画像受け入れ表面の間の付着性レベルを低減することに適合する、方法。
【請求項１６】
液体担体は水である、請求項１５に記載の方法。
【請求項１７】
クリーニングユニットで、乾燥した層のうち、印刷媒体に転写されない吸収剤の他の領域を画像受け入れ表面から除去するステップであって、クリーニングユニットは、水性インク画像と、乾燥した層の少なくとも一部とが印刷媒体に転写固定された後で、画像受け入れ表面と係合する、ステップをさらに含む、請求項１５に記載の方法。
【請求項１８】
画像受け入れ表面を処理方向に移動して、複数のインクジェットと転写固定ニップの間に配置された別の乾燥器を通過させるステップと、
通過する別の乾燥器で、水性インク画像を乾燥させて、吸収剤の層の上に形成された水性インク画像から液体溶媒の一部を除去するステップと、をさらに含む、請求項１５に記載の方法。
【請求項１９】
表面管理ユニットにおいて、親水性組成物の層をローラーで画像受け入れ表面に塗布するステップであって、ローラーは、画像受け入れ表面の移動に伴って回転して、貯蔵器から親水性組成物を抜き取り、画像受け入れ表面に親水性組成物の層を形成する、ステップをさらに含む、請求項１５に記載の方法。
【請求項２０】
表面管理ユニットは、１μｍ〜１０μｍの厚みの親水性組成物の層を形成する、請求項１９に記載の方法。
【請求項２１】
乾燥器が、親水性組成物の層から液体担体の一部を除去して、０．１μｍ〜１μｍの厚みの乾燥した層を形成する、請求項１５に記載の方法。
【請求項２２】
画像受け入れ表面を５０℃〜７０℃の範囲の温度まで加熱するステップをさらに含む、請求項１５に記載の方法。
【請求項２３】
インク液滴の放出は、
乾燥した層の上に、複数のインクジェットの第１部位から第１の色のインク液滴を放出し、
第１の色のインク液滴を有する画像受け入れ表面を移動して第１の乾燥器を通過させ、乾燥した層に形成された第１の色の水性インクから液体溶媒の一部を除去し、
画像受け入れ表面が第１の乾燥器を通り抜けた後で、乾燥した層の上に、複数のインクジェットの第２部位から第２の色のインク液滴を放出し、
第１の色のインク液滴と第２の色のインク液滴とを有する画像受け入れ表面を移動して第２の乾燥器を通過させ、乾燥した層の上に形成されている第１の色の水性インクおよび第２の色の水性インクから液体溶媒の一部を除去すること、を含む、請求項１５に記載の方法。
【請求項２４】
吸収剤の乾燥した層のうち、水性インク液滴を受け取っていない他の領域を、印刷媒体に対する付着性の低い画像受け入れ表面上に維持して、印刷媒体が転写固定ニップを通り抜けた後で、画像受け入れ表面からの印刷媒体の分離を実現する、請求項１５に記載の方法。
【請求項２５】
乾燥した層内の吸収剤は、水性インク内の着色剤に対して実質的に不浸透性である、請求項１５に記載の方法。